(57)【要約】【課題】掘削対象である臭気物含有土壌の臭気を事前に効率よく消臭し、臭気物含有土壌を掘削除去する際の臭気を低減するとともに掘削作業効率を低下させない臭気物含有土壌の消臭方法及び臭気物含有土壌の消臭装置を提供すること。【解決手段】臭気物含有土壌１への挿入及び臭気物含有土壌からの引抜が可能であって、孔２０ａを有した吸引用管状体２０及び孔１０ａを有した注入用管状体１０を臭気物含有土壌１内に挿入し、注入用管状体１０に消臭流体を注入して該消臭流体を臭気物含有土壌１内に散布するとともに、吸引用管状体２０から臭気物含有物質を含む土壌間隙流体を吸引し、吸引された前記土壌間隙流体に対する浄化処理が必要な場合、前記浄化処理を施して排出する。【選択図】図１
2015217331.tif 000002
【特許請求の範囲】
【請求項１】
臭気物含有土壌への挿入及び臭気物含有土壌からの引抜が可能であって、孔を有した吸引用管状体を前記臭気物含有土壌内に挿入する挿入工程と、
前記吸引用管状体から臭気物含有物質を含む土壌間隙流体を吸引する吸引工程と、
前記吸引工程によって吸引された前記土壌間隙流体に対する浄化処理が必要な場合、前記浄化処理を施して排出する排出工程と、
を含むことを特徴とする臭気物含有土壌の消臭方法。
【請求項２】
臭気物含有土壌への挿入及び臭気物含有土壌からの引抜が可能であって、孔を有した注入用管状体を前記臭気物含有土壌内に挿入する挿入工程と、
前記注入用管状体に消臭剤を含む消臭流体を注入して該消臭流体を前記臭気物含有土壌内に散布する注入工程と、
を含むことを特徴とする臭気物含有土壌の消臭方法。
【請求項３】
臭気物含有土壌への挿入及び臭気物含有土壌からの引抜が可能であって、孔を有した吸引用管状体及び注入用管状体を前記臭気物含有土壌内に挿入する挿入工程と、
前記注入用管状体に消臭流体を注入して該消臭流体を前記臭気物含有土壌内に散布するとともに、前記吸引用管状体から臭気物含有物質を含む土壌間隙流体を吸引する消臭工程と、
前記消臭工程によって吸引された前記土壌間隙流体に対する浄化処理が必要な場合、前記浄化処理を施して排出する排出工程と、
を含むことを特徴とする臭気物含有土壌の消臭方法。
【請求項４】
前記消臭流体は消臭剤を含み、
前記排出工程は、前記土壌間隙流体内に含まれる消臭剤を回収することを特徴とする請求項３に記載の臭気物含有土壌の消臭方法。
【請求項５】
前記消臭流体は、空気であることを特徴とする請求項３に記載の臭気物含有土壌の消臭方法。
【請求項６】
臭気物含有土壌への挿入及び臭気物含有土壌からの引抜が可能であって、孔を有した複数の吸引用管状体と、
前記複数の吸引用管状体に接続され、前記複数の吸引用管状体が前記臭気物含有土壌内に挿入された状態で、各吸引用管状体から臭気物含有物質を含む土壌間隙流体を吸引するポンプと、
前記ポンプによって吸引された前記土壌間隙流体に対する浄化処理が必要な場合、前記浄化処理を施し、前記浄化処理が必要でない場合、そのまま前記土壌間隙流体を排出する排出器と、
を備えたことを特徴とする臭気物含有土壌の消臭装置。
【請求項７】
臭気物含有土壌への挿入及び臭気物含有土壌からの引抜が可能であって、孔を有した複数の注入用管状体と、
前記複数の注入用管状体に接続され、前記複数の注入用管状体が前記臭気物含有土壌内に挿入された状態で、各注入用管状体に消臭剤を含む消臭流体を注入して該消臭流体を前記臭気物含有土壌内に散布するコンプレッサと、
前記コンプレッサに前記消臭流体を供給する消臭流体供給器と、
を備えたことを特徴とする臭気物含有土壌の消臭装置。
【請求項８】
臭気物含有土壌への挿入及び臭気物含有土壌からの引抜が可能であって、孔を有した複数の吸引用管状体と、
臭気物含有土壌への挿入及び臭気物含有土壌からの引抜が可能であって、孔を有した複数の注入用管状体と、
前記複数の吸引用管状体に接続され、前記複数の吸引用管状体が前記臭気物含有土壌内に挿入された状態で、各吸引用管状体から臭気物含有物質を含む土壌間隙流体を吸引するポンプと、
前記複数の注入用管状体に接続され、前記複数の注入用管状体が前記臭気物含有土壌内に挿入された状態で、各注入用管状体に消臭流体を注入して該消臭流体を前記臭気物含有土壌内に散布するコンプレッサと、
前記ポンプによって吸引された前記土壌間隙流体に対する浄化処理が必要な場合、前記浄化処理を施し、前記浄化処理が必要でない場合、そのまま前記土壌間隙流体を排出する排出器と、
前記コンプレッサに前記消臭流体を供給する消臭流体供給器と、
を備えたことを特徴とする臭気物含有土壌の消臭装置。
【請求項９】
前記消臭流体は消臭剤を含み、
前記排出器は、前記土壌間隙流体内に含まれる消臭剤を回収することを特徴とする請求項８に記載の臭気物含有土壌の消臭装置。
【請求項１０】
前記消臭流体は、空気であることを特徴とする請求項９に記載の臭気物含有土壌の消臭装置。
【発明の詳細な説明】
【技術分野】
【０００１】
この発明は、掘削対象である臭気物含有土壌の臭気を事前に効率よく消臭し、臭気物含有土壌を掘削除去する際の臭気を低減するとともに掘削作業効率を低下させない臭気物含有土壌の消臭方法及び臭気物含有土壌の消臭装置に関する。
【背景技術】
【０００２】
従来から、悪臭物質を含む土壌を掘削除去する場合、掘削した土壌から悪臭物質が発生して作業環境が悪くなるため、掘削作業時に手元や作業エリアに消臭剤を散布するようにしている。
【０００３】
例えば、特許文献１では、土留め壁に囲まれた掘削領域と外部との間に、ノズルから散布される消臭液または消臭懸濁液によって液体カーテンを形成し、掘削領域の汚染土壌を掘削して採取した時に発生する臭気を、液体カーテンと気液接触することによって低減し、外部への臭気の拡散を防止している。
【先行技術文献】
【特許文献】
【０００４】
【特許文献１】特開２０１０−１８８２６１号公報
【発明の概要】
【発明が解決しようとする課題】
【０００５】
しかしながら、掘削作業時に手元や作業エリアに消臭剤を散布する従来の消臭方法では、作業効率の低下を招くとともに、風が強い場合には消臭効果が低下し、臭気を近隣に拡散してしまうという問題があった。なお、この従来の消臭方法では、掘削した土壌からも悪臭物質が発生し続けるため、土壌を移動させる場合にも消臭対策を施す必要がある。
【０００６】
なお、掘削対象である臭気物含有土壌の臭気を事前に消臭する場合、臭気物含有土壌の上部表土から消臭溶液を浸透させる消臭方法がある。この場合、臭気物含有土壌の深部まで消臭溶液を浸透させることが必要であり、多量の消臭溶液を必要とするとともに、臭気物含有土壌への臭気溶液の浸透を満遍なく行うことが難しいため、消臭効果が低いという問題がある。
【０００７】
この発明は、上記に鑑みてなされたものであって、掘削対象である臭気物含有土壌の臭気を事前に効率よく消臭し、臭気物含有土壌を掘削除去する際の臭気を低減するとともに掘削作業効率を低下させない臭気物含有土壌の消臭方法及び臭気物含有土壌の消臭装置を提供することを目的とする。
【課題を解決するための手段】
【０００８】
上述した課題を解決し、目的を達成するために、この発明にかかる臭気物含有土壌の消臭方法は、臭気物含有土壌への挿入及び臭気物含有土壌からの引抜が可能であって、孔を有した吸引用管状体を前記臭気物含有土壌内に挿入する挿入工程と、前記吸引用管状体から臭気物含有物質を含む土壌間隙流体を吸引する吸引工程と、前記吸引工程によって吸引された前記土壌間隙流体に対する浄化処理が必要な場合、前記浄化処理を施して排出する排出工程と、を含むことを特徴とする。
【０００９】
また、この発明にかかる臭気物含有土壌の消臭方法は、臭気物含有土壌への挿入及び臭気物含有土壌からの引抜が可能であって、孔を有した注入用管状体を前記臭気物含有土壌内に挿入する挿入工程と、前記注入用管状体に消臭剤を含む消臭流体を注入して該消臭流体を前記臭気物含有土壌内に散布する注入工程と、を含むことを特徴とする。
【００１０】
また、この発明にかかる臭気物含有土壌の消臭方法は、臭気物含有土壌への挿入及び臭気物含有土壌からの引抜が可能であって、孔を有した吸引用管状体及び注入用管状体を前記臭気物含有土壌内に挿入する挿入工程と、前記注入用管状体に消臭流体を注入して該消臭流体を前記臭気物含有土壌内に散布するとともに、前記吸引用管状体から臭気物含有物質を含む土壌間隙流体を吸引する消臭工程と、前記消臭工程によって吸引された前記土壌間隙流体に対する浄化処理が必要な場合、前記浄化処理を施して排出する排出工程と、を含むことを特徴とする。
【００１１】
また、この発明にかかる臭気物含有土壌の消臭方法は、上記の発明において、前記消臭流体は消臭剤を含み、前記排出工程は、前記土壌間隙流体内に含まれる消臭剤を回収することを特徴とする。
【００１２】
また、この発明にかかる臭気物含有土壌の消臭方法は、上記の発明において、前記消臭流体は、空気であることを特徴とする。
【００１３】
また、この発明にかかる臭気物含有土壌の消臭装置は、臭気物含有土壌への挿入及び臭気物含有土壌からの引抜が可能であって、孔を有した複数の吸引用管状体と、前記複数の吸引用管状体に接続され、前記複数の吸引用管状体が前記臭気物含有土壌内に挿入された状態で、各吸引用管状体から臭気物含有物質を含む土壌間隙流体を吸引するポンプと、前記ポンプによって吸引された前記土壌間隙流体に対する浄化処理が必要な場合、前記浄化処理を施し、前記浄化処理が必要でない場合、そのまま前記土壌間隙流体を排出する排出器と、を備えたことを特徴とする。
【００１４】
また、この発明にかかる臭気物含有土壌の消臭装置は、臭気物含有土壌への挿入及び臭気物含有土壌からの引抜が可能であって、孔を有した複数の注入用管状体と、前記複数の注入用管状体に接続され、前記複数の注入用管状体が前記臭気物含有土壌内に挿入された状態で、各注入用管状体に消臭剤を含む消臭流体を注入して該消臭流体を前記臭気物含有土壌内に散布するコンプレッサと、前記コンプレッサに前記消臭流体を供給する消臭流体供給器と、を備えたことを特徴とする。
【００１５】
また、この発明にかかる臭気物含有土壌の消臭装置は、臭気物含有土壌への挿入及び臭気物含有土壌からの引抜が可能であって、孔を有した複数の吸引用管状体と、臭気物含有土壌への挿入及び臭気物含有土壌からの引抜が可能であって、孔を有した複数の注入用管状体と、前記複数の吸引用管状体に接続され、前記複数の吸引用管状体が前記臭気物含有土壌内に挿入された状態で、各吸引用管状体から臭気物含有物質を含む土壌間隙流体を吸引するポンプと、前記複数の注入用管状体に接続され、前記複数の注入用管状体が前記臭気物含有土壌内に挿入された状態で、各注入用管状体に消臭流体を注入して該消臭流体を前記臭気物含有土壌内に散布するコンプレッサと、前記ポンプによって吸引された前記土壌間隙流体に対する浄化処理が必要な場合、前記浄化処理を施し、前記浄化処理が必要でない場合、そのまま前記土壌間隙流体を排出する排出器と、前記コンプレッサに前記消臭流体を供給する消臭流体供給器と、を備えたことを特徴とする。
【００１６】
また、この発明にかかる臭気物含有土壌の消臭装置は、上記の発明において、前記消臭流体は消臭剤を含み、前記排出器は、前記土壌間隙流体内に含まれる消臭剤を回収することを特徴とする。
【００１７】
また、この発明にかかる臭気物含有土壌の消臭装置は、上記の発明において、前記消臭流体は、空気であることを特徴とする。
【発明の効果】
【００１８】
この発明によれば、臭気物含有土壌への挿入及び臭気物含有土壌からの引抜が可能であって、孔を有した吸引用管状体及び／または注入用管状体を前記臭気物含有土壌内に挿入し、前記注入用管状体に消臭流体を注入して該消臭流体を前記臭気物含有土壌内に散布し、及び／または、前記吸引用管状体から臭気物含有物質を含む土壌間隙流体を吸引して臭気物含有土壌の消臭を行うようにしている。この結果、掘削対象である臭気物含有土壌の臭気を事前に効率よく消臭でき、臭気物含有土壌を掘削除去する際の臭気が低減できるとともに掘削作業効率が低下しない。
【図面の簡単な説明】
【００１９】
【図１】図１は、この発明の実施の形態である臭気物含有土壌の消臭装置の構成を示す模式図である。
【図２】図２は、図１に示した注入用管状体の一例を示す模式図である。
【図３】図３は、この発明の実施の形態である臭気物含有土壌の消臭処理手順を示すフローチャートである。
【図４】図４は、この発明の実施の形態の変形例１である臭気物含有土壌の消臭装置の構成を示す模式図である。
【図５】図５は、この発明の実施の形態の変形例２である臭気物含有土壌の消臭装置の構成を示す模式図である。
【発明を実施するための形態】
【００２０】
以下、添付図面を参照してこの発明を実施するための形態について説明する。
【００２１】
図１に示すように、土壌Ｓは透水性土壌層ＳＡの下部に難透水性土壌層ＳＢが形成され、悪臭物質が含まれる臭気物含有土壌１は、透水性土壌層ＳＡ内に形成される。この臭気物含有土壌１は、掘削によって除去される。この実施の形態は、掘削前に臭気物含有土壌１を効率よく消臭するものである。消臭とは、例えば、食物残さ等の有機性廃棄物や畜産廃棄物、油や揮発性有機化合物などから発生する悪臭物質の生成を抑え、あるいは除去することである。
【００２２】
（装置構成）
図１に示すように、臭気物含有土壌の消臭装置は、大きくは注入系と吸引系とからなる。注入系は、臭気物含有土壌１への挿入及び臭気物含有土壌１からの引抜が可能であって、孔１０ａを有した複数の注入用管状体１０を有する。複数の注入用管状体１０は、臭気物含有土壌１内に挿入され、長手方向が鉛直方向となるように分散配置される。各注入用管状体１０は、注入配管１２を介してコンプレッサ１１に接続される。消臭流体供給器１３は、消臭剤をコンプレッサ１１に供給する。コンプレッサ１１は、消臭剤と空気とを混合した消臭流体を圧縮して吐出する。すなわち、コンプレッサ１１は、各注入用管状体１０が臭気物含有土壌１内に挿入された状態で、各注入用管状体１０に消臭剤を含む消臭流体を注入し、複数の孔１０ａを介して該消臭流体を臭気物含有土壌１内に散布する。
【００２３】
吸引系は、臭気物含有土壌１への挿入及び臭気物含有土壌１からの引抜が可能であって、孔２０ａを有した複数の吸引用管状体２０を有する。複数の吸引用管状体２０は、臭気物含有土壌１内に挿入され、長手方向が鉛直方向となるように分散配置される。各吸引用管状体２０は、吸引配管２２を介してポンプ２１に接続される。ポンプ２１は、各吸引用管状体２０が臭気物含有土壌１内に挿入された状態で、各吸引用管状体２０から臭気物含有物質を含む土壌間隙流体を複数の孔２０ａを介して吸引する。排出器２３は、ポンプ２１によって吸引された土壌間隙流体に対する浄化処理が必要な場合、浄化処理を施した後、排出する。排液処理器２４は、液体の土壌間隙流体に対する浄化処理を行い、浄化処理された排液を排出する。また、排ガス処理器２５は、気体の土壌間隙流体に対する浄化処理を行い、浄化処理された排ガスを排出する。なお、排出器２３は、浄化処理が必要でない場合、そのまま土壌間隙流体を放流する。さらに、排出器２３は、注入された消臭流体に消臭剤が含まれる場合、吸引した土壌間隙流体内に含まれる消臭剤を回収する処理を行うようにしてもよい。この場合、回収した消臭剤は、消臭流体供給器１３によって再利用される。
【００２４】
（注入用管状体及び吸引用管状体の構成）
ここで、注入用管状体１０及び吸引用管状体２０は、臭気物含有土壌１内に永久配置することも可能であるが、臭気物含有土壌１は掘削除去対象であるため、上述したように、臭気物含有土壌１への挿入及び臭気物含有土壌１からの引抜ができるようになっている。このため、図２に示すように、例えば注入用管状体１０の上部には引抜具３０が取り付けられることが好ましい。注入用管状体１０及び吸引用管状体２０の臭気物含有土壌１への挿入は比較的容易であるが、注入用管状体１０及び吸引用管状体２０の管径がそれぞれ注入配管１２及び吸引配管２２の管径に比して大きい場合、注入用管状体１０及び吸引用管状体２０の臭気物含有土壌１からの引抜は容易ではないため、引抜具３０を用いて臭気物含有土壌１からの引抜を容易にすることができる。引抜具３０は、例えば、注入用管状体１０及び吸引用管状体２０に取り付けられるワイヤなどによって実現される。なお、注入用管状体１０及び吸引用管状体２０の先端は、臭気物含有土壌１への挿入を容易にするため、尖った形状とすることが好ましい。
【００２５】
また、図２に示すように、孔１０ａは、注入用管状体１０の側部周囲及び下部に設けられることが好ましい。孔２０ａも、孔１０ａと同様に、吸引用管状体２０の側部周囲及び下部に設けられることが好ましい。また、孔１０ａ，２０ａは、根詰まりなどを防止するため、フィルタを介することが好ましい。
【００２６】
なお、注入用管状体１０及び吸引用管状体２０は、それぞれ孔１０ａ，２０ａを設けず、全体が微細な孔を有したフィルタとして機能するセラミック製であってもよい。
【００２７】
また、消臭流体が液体である場合、各注入用管状体１０は、臭気物含有土壌１の上部側に分散配置されることが好ましく、各吸引用管状体２０は、臭気物含有土壌１の下部側に分散配置されることが好ましい。また、消臭流体が気体である場合、各注入用管状体１０及び各吸引用管状体２０は、臭気物含有土壌１の全域に満遍なく分散配置することが好ましい。
【００２８】
さらに、消臭流体は、消臭剤を含まず、空気のみであってもよい。悪臭を発する臭気物質は、嫌気雰囲気下で発生する場合が多いため、臭気物含有土壌１内に空気を注入して臭気物含有土壌１を好気状態にすることによって悪臭の発生を抑えることができる。また、土壌間隙流体を吸引することによって、臭気物含有土壌１をさらに好気状態にすることができる。
【００２９】
なお、注入用管状体１０及び吸引用管状体２０や注入配管１２及び吸引配管２２は、同一管径、同一材質、あるいは同一形状であってもよい。
【００３０】
（消臭処理）
図３は、この実施の形態による臭気物含有土壌の消臭処理手順を示すフローチャートである。図３に示すように、まず、複数の吸引用管状体２０及び複数の注入用管状体１０を臭気物含有土壌１内に挿入する（ステップＳ１０１）。その後、コンプレッサ１１によって複数の注入用管状体１０に消臭流体を注入して該消臭流体を臭気物含有土壌１内に散布するとともに、ポンプ２１によって複数の吸引用管状体２０から臭気物含有物質を含む土壌間隙流体を吸引して臭気物含有土壌１を消臭する（ステップＳ１０２）。さらに、ポンプ２１によって吸引された土壌間隙流体に対する浄化処理が必要な場合、排出器２３によって浄化処理を施して排出し、土壌間隙流体に対する浄化処理が不必要な場合、そのまま土壌間隙流体を放流する（ステップＳ１０３）。その後、ステップＳ１０２に移行し、ステップＳ１０２，Ｓ１０３の処理を繰り返す。そして、臭気物含有土壌１の消臭処理が終了した段階で、複数の吸引用管状体２０及び複数の注入用管状体１０を臭気物含有土壌１から引き抜き、臭気物含有土壌１の掘削除去を行う。
【００３１】
この実施の形態では、掘削対象である臭気物含有土壌１内に注入用管状体１０を介して消臭流体を万遍なく注入するとともに、臭気物含有土壌１内に吸引用管状体２０を挿入して土壌間隙流体を万遍なく吸引することによって、臭気物含有土壌１内の臭気を事前に効率よく消臭できるため、臭気物含有土壌１を掘削除去時に消臭剤を散布しなくてもよい。しかも、臭気物含有土壌１の掘削時の悪臭が低減されるので、作業環境が改善され、全体的な掘削作業効率が向上する。また、掘削した臭気物含有土壌１自体が消臭されているため、掘削した臭気物含有土壌１の運搬時の消臭対策も軽減できる。さらに、掘削した臭気物含有土壌１自体が消臭されているため、掘削地域以外の周囲への臭気拡散を抑えることができる。また、消臭剤を用いる場合、消臭剤の回収も可能であるため、消臭剤の使用量を抑えることができる。
【００３２】
（変形例１）
この変形例１では、図４に示すように、吸引系のみを用いた構成としている。この場合でも、臭気物含有土壌１内の臭気を事前に除去することができる。なお、この場合における消臭処理は、ステップＳ１０１において注入用管状体１０の挿入を行わず、ステップＳ１０２において消臭流体の注入は行わない。
【００３３】
（変形例２）
この変形例２では、図５に示すように、注入系のみを用いた構成としている。この場合でも、臭気物含有土壌１内の臭気を事前に除去することができる。なお、この場合における消臭処理は、ステップＳ１０１において吸引用管状体２０の挿入を行わず、ステップＳ１０３による土壌間隙流体の排出を行わない。
【符号の説明】
【００３４】
１  臭気物含有土壌
１０  注入用管状体
１０ａ，２０ａ  孔
１１  コンプレッサ
１２  注入配管
１３  消臭流体供給器
２０  吸引用管状体
２１  ポンプ
２２  吸引配管
２３  排出器
２４  排液処理器
２５  排ガス処理器
３０  引抜具
Ｓ  土壌
ＳＡ  透水性土壌層
ＳＢ  難透水性土壌層
【図１】
2015217331.tif 000003
【図２】
2015217331.tif 000004
【図３】
2015217331.tif 000005
【図４】
2015217331.tif 000006
【図５】
2015217331.tif 000007